(57)【要約】【課題】簡易な構造の保持器具、保持構造および、測定装置用の移送装置を提供する。【解決手段】検体テーブル４１は、予め設定されているカップ４２を持ち、このカップ４２には、試料液が入ったビーカ３が載置される。ビーカ３をカップ４２に載置する前に、ビーカアダプタ１をカップ４２に差し込み、事前にカップ４２内にビーカアダプタ１を装着しておく。ビーカアダプタ１のＯリング１５は、突出部分２１によりカップ４２の内周面に接触している。その後、カップ４２に載置されたビーカアダプタ１にビーカ３を差し込む。すると、ビーカ３は、Ｏリング１５の突出部分２２と接触し、これにより、ビーカアダプタ１に載置される。ビーカ３は、ビーカアダプタ１を介して検体テーブル４１のカップ４２に保持される。【選択図】図３
2016142583.tif 000002
【特許請求の範囲】
【請求項１】
予め設定される載置部と当該載置部に載置される被載置部材との間に位置し、当該被載置部材の当該載置部に対する保持を行うための保持器具であって、
前記被載置部材の周りを囲むように形成される本体部と、
前記本体部が前記載置部に位置する場合に当該載置部と接触するように当該本体部から突出する第１の突出部と、
前記被載置部材が前記本体部に囲まれて位置する場合に当該被載置部材と接触するように当該本体部から突出する第２の突出部と、
を備えることを特徴とする保持器具。
【請求項２】
前記第１の突出部および前記第２の突出部は、前記本体部の周方向に沿って配設される線状の弾性体により形成されていることを特徴とする請求項１に記載の保持器具。
【請求項３】
前記第１の突出部は、前記本体部が前記載置部に位置する場合に当該載置部から圧縮力を受けるものであり、
前記第２の突出部は、前記被載置部材が前記本体部に囲まれて位置する場合に当該被載置部材による圧縮力を受けないことを特徴とする請求項１に記載の保持器具。
【請求項４】
載置部に載置される被載置部材を保持するための保持構造であって、
前記載置部と前記被載置部材との間に、当該載置部と係合する第１の係合部および当該被載置部材と係合する第２の係合部が位置し、
前記第１の係合部および前記第２の係合部は、前記載置部と前記被載置部材との間に位置する線状部材を当該被載置部材の外形形状とは異ならしめて配設することで形成されることを特徴とする保持構造。
【請求項５】
試料が入る容器を載置する載置部と、当該載置部に載置される当該容器を保持する保持部と、を含んで構成され、当該容器を測定装置の測定位置に移送する、測定装置用の移送装置であって、
前記保持部は、
前記載置部と前記容器との間に位置し、当該載置部と係合する第１の係合部と、
前記載置部と前記容器との間に位置し、当該容器と係合する第２の係合部と、
を備え、
前記第１の係合部および前記第２の係合部は、前記載置部と前記容器との間に位置する線状部材を当該容器の外形形状とは異ならしめて配設することで形成されることを特徴とする測定装置用の移送装置。
【発明の詳細な説明】
【技術分野】
【０００１】
本発明は、例えば試料容器等を保持する保持器具、保持構造および、測定装置用の移送装置に関するものである。
【背景技術】
【０００２】
例えば、特許文献１には、被測定試料を容納した試料容器体の開口部を薄膜シート状蓋片で閉蓋密封シールさせてなる試料容器を用い、該試料容器の薄膜シート状蓋片にガス導入針と気化水分導出針とを刺通させた状態で、前記被測定試料を外部から加熱して含有水分を気化させた後、前記ガス導入針から導入されるキャリアガスにより、前記気化水分導出針から気化水分を導出するようにした水分測定装置に適用されて、ターンテーブル上に載置保持した前記試料容器を給送するターンテーブル装置が開示されている。
【先行技術文献】
【特許文献】
【０００３】
【特許文献１】特開平７−４３３６６号公報
【発明の概要】
【発明が解決しようとする課題】
【０００４】
ところで、予め設定された載置部で被載置部材を保持する場合、かかる保持のための構造はより簡易なものであることが好ましい。
本発明は、簡易な構造の保持器具、保持構造および、測定装置用の移送装置を提供することを目的とする。
【課題を解決するための手段】
【０００５】
かかる目的のもと、本発明が適用される保持器具は、予め設定される載置部と当該載置部に載置される被載置部材との間に位置し、当該被載置部材の当該載置部に対する保持を行うための保持器具であって、前記被載置部材の周りを囲むように形成される本体部と、前記本体部が前記載置部に位置する場合に当該載置部と接触するように当該本体部から突出する第１の突出部と、前記被載置部材が前記本体部に囲まれて位置する場合に当該被載置部材と接触するように当該本体部から突出する第２の突出部と、を備えることを特徴とするものである。
ここで、前記第１の突出部および前記第２の突出部は、前記本体部の周方向に沿って配設される線状の弾性体により形成されていることを特徴とすることができる。また、前記第１の突出部は、前記本体部が前記載置部に位置する場合に当該載置部から圧縮力を受けるものであり、前記第２の突出部は、前記被載置部材が前記本体部に囲まれて位置する場合に当該被載置部材による圧縮力を受けないことを特徴とすることができる。
また、本発明が適用される保持構造は、載置部に載置される被載置部材を保持するための保持構造であって、前記載置部と前記被載置部材との間に、当該載置部と係合する第１の係合部および当該被載置部材と係合する第２の係合部が位置し、前記第１の係合部および前記第２の係合部は、前記載置部と前記被載置部材との間に位置する線状部材を当該被載置部材の外形形状とは異ならしめて配設することで形成されることを特徴とするものである。
また、本発明が適用される測定装置用の移送装置は、試料が入る容器を載置する載置部と、当該載置部に載置される当該容器を保持する保持部と、を含んで構成され、当該容器を測定装置の測定位置に移送する、測定装置用の移送装置であって、前記保持部は、前記載置部と前記容器との間に位置し、当該載置部と係合する第１の係合部と、前記載置部と前記容器との間に位置し、当該容器と係合する第２の係合部と、を備え、前記第１の係合部および前記第２の係合部は、前記載置部と前記容器との間に位置する線状部材を当該容器の外形形状とは異ならしめて配設することで形成されることを特徴とするものである。
【発明の効果】
【０００６】
本発明によれば、簡易な構造の保持器具、保持構造および、測定装置用の移送装置を提供することが可能になる。
【図面の簡単な説明】
【０００７】
【図１】本実施の形態に係るビーカアダプタの構成を説明する斜視図および分解斜視図である。
【図２】本実施の形態に係るビーカアダプタの構成を説明する平面図、右側面図および横断面図である。
【図３】ビーカアダプタの作用を説明する図である。
【図４】ビーカアダプタの作用を説明する図である。
【図５】ビーカアダプタの変形例を説明する図である。
【図６】ビーカアダプタの他の変形例を説明する図である。
【図７】保持構造の変形例を説明する図である。
【図８】測定装置用の移送装置を説明する概略斜視図である。
【発明を実施するための形態】
【０００８】
以下、添付図面を参照して、本発明の実施の形態について詳細に説明する。
本実施の形態に係るビーカアダプタ１の構成およびその作用について説明し、さらにビーカアダプタ１を用いる保持構造を説明した上で、各種の変形例を説明する。また、測定装置のターンテーブルに保持構造を適用する場合についての説明も行う。
ここにいうビーカアダプタ１は保持器具ないし保持部の一例である。
【０００９】
〔ビーカアダプタ１の構成について〕
図１および図２は、本実施の形態に係るビーカアダプタ１の構成を説明する図である。図１の（ａ）はその斜視図であり、（ｂ）は分解斜視図である。図２の（ａ）は平面図であり、（ｂ）は右側面図であり、（ｃ）は、（ｂ）の線Ａ−Ａによる断面図（横断面図）である。
図１に示すように、ビーカアダプタ１は、円筒形状に形成され、端面にネジ穴を有する円筒部材１１と、円筒形状に形成され、端面にサラ穴を有する円筒部材１２と、を含んで構成されている。
また、ビーカアダプタ１は、円筒部材１１と円筒部材１２との間に位置し、軸方向（図１の（ｂ）参照。図２の（ａ）または（ｃ）における紙面から垂直に延びる方向と同じ）に延びる貫通穴を有する複数の支柱１３を含んで構成されている。なお、本実施の形態では、４つの支柱１３を含む。
【００１０】
また、ビーカアダプタ１は、円筒部材１２のサラ穴から支柱１３の貫通穴を通って円筒部材１１のネジ穴にねじ締めされる複数の皿ネジ１４と、皿ネジ１４により円筒部材１１に固定された複数の支柱１３に巻き掛けられるＯリング１５と、を含んで構成されている。
なお、支柱１３の組み立て性を考慮すると、円筒部材１１および／または円筒部材１２の端面にザグリを形成する例も考えられる。
【００１１】
さらに説明すると、円筒部材１１は、軸方向に関する長さ（高さ）が円筒部材１２よりも長い。すなわち、円筒部材１２は、薄板形状に形成されている。すなわち、軸方向に関する支柱１３ないしＯリング１５の位置は、略中央ではなく、一方向にずれている。これにより、図１に示す円筒部材１１が円筒部材１２の下方に位置して載置される場合と、その逆すなわち円筒部材１２が円筒部材１１の下方に位置して載置される場合とで、軸方向に関する載置面からＯリング１５までの距離が異なるものとなる。
付言すると、なべ小ネジではなく皿ネジ１４を用いていることから、図１の（ａ）に示すように、円筒部材１２の上面は平たんである。したがって、上述した円筒部材１２の載置面への載置が可能である。
なお、ビーカアダプタ１の置き方によりＯリング１５の位置が異なるようにする必要がなければ、円筒部材１１の高さと円筒部材１２の高さを互いに同じものにするという変形例が考えられる。
【００１２】
円筒部材１１の外径寸法は円筒部材１２の外径寸法と略同じであり、また、円筒部材１１の内径寸法は円筒部材１２の内径寸法と略同じである。すなわち、円筒部材１１および円筒部材１２は、高さが互いに異なるものの、内径および外径は同じである。付言すると、円筒部材１１および円筒部材１２は、安全性のために例えばＣ０．５〜Ｃ１程度の面取りをした形状である。
なお、円筒部材１１および円筒部材１２の外径寸法および／または内径寸法を互いに異なるものとする変形例が考えられる。
【００１３】
複数の支柱１３は、軸方向に関する長さ（高さ）が揃っている。したがって、ビーカアダプタ１において、円筒部材１２から遠い円筒部材１１の面と円筒部材１１から遠い円筒部材１２の面とは互いに略平行である。
複数の支柱１３は、外周面がなめらかに形成されている。このため、Ｏリング１５が複数の支柱１３に巻き掛けられると、隣り合う支柱間での張力はほぼ等しくなり、張力の偏りの発生が抑制される。
【００１４】
Ｏリング１５が複数の支柱１３に巻き掛けられている状態では、例えば図２の（ａ）に示すように、円筒部材１２の外周面１２ａから突出する突出部分２１がある。かかるＯリング１５の突出部分２１は、同図の（ｃ）に示すように、円筒部材１１の外周面１１ａからも突出する。突出部分２１は、支柱１３に近い位置にあり、言い換えると、突出部分２１は、Ｏリング１５が支柱１３に巻き掛けられている部分に形成されている。
また、図２の（ａ）に示すように、円筒部材１２の内周面１２ｂから突出する突出部分２２がある。かかるＯリング１５の突出部分２２は、同図の（ｃ）に示すように、円筒部材１１の内周面１１ｂから突出する。突出部分２２は、支柱１３から遠い位置にあり、言い換えると、突出部分２２は、隣り合う支柱１３間の中間位置にある。
ここにいう円筒部材１１および円筒部材１２は、本体部の一例である。ここにいう突出部分２１は、第１の突出部ないし第１の係合部の一例であり、また、ここにいう突出部分２２は、第２の突出部ないし第２の係合部の一例である。ここにいうＯリング１５は、線状の弾性体ないし線状部材の一例である。
【００１５】
図２の（ｂ）を参照すると、Ｏリング１５は、円筒部材１１の端面との間に隙間があり、また、円筒部材１２の端面との間にも隙間がある。すなわち、円筒部材１１と円筒部材１２との間の離間距離（支柱１３の高さ寸法）は、Ｏリング１５の太さ寸法よりも大きい。
さらに説明すると、Ｏリング１５が変形しても、円筒部材１１や円筒部材１２に当たらないようになっている。すなわち、Ｏリング１５の変形を円筒部材１１や円筒部材１２が妨げないように構成されている。
【００１６】
なお、ビーカアダプタ１の円筒部材１１、円筒部材１２および支柱１３の材質は、本実施の形態では、ＡＢＳ樹脂であるが、これに限られず、他の材質例えばポリプロピレン（ＰＰ）やポリアセタール樹脂（ＰＯＭ）、塩ビ（ＰＶＣ）等とすることも考えられる。
また、Ｏリング１５の材質は、本実施の形態では、ゴム材であるが、これに限られず、変形可能な他の材質とすることも考えられる。Ｏリング１５の太さとしては、例えば１．５ｍｍや２ｍｍ、３ｍｍ等のものを用いることが考えられる。
なお、Ｏリング１５は線状の弾性体ないし線状部材であり、無端状の部材を用いているが、これに限られず、１本の弾性体を、両端を互いに結ぶことで無端状とすることも考えられる。
【００１７】
〔ビーカアダプタ１の作用について〕
上述したビーカアダプタ１は、予め設定される場所でビーカ３を保持するために用いられる。予め設定される場所でビーカ３を保持する場合のビーカアダプタ１による作用（保持機能）について説明する。なお、ビーカ３は、試料が入れられるものであり、上側が開口している有底の部材である。
図３は、ビーカアダプタ１の作用を説明する図である。すなわち、図３は、取り付け手順を説明する斜視図であり、（ａ）、（ｂ）、（ｃ）および（ｄ）の順に時系列で示す。
【００１８】
図３の（ａ）に示すように、検体テーブル４１は、予め設定されているカップ４２を持つ。かかるカップ４２は、検体テーブル４１から取り外し可能なものであっても、検体テーブル４１と一体に形成されているものであっても良い。
そして、かかる検体テーブル４１のカップ４２には、試料液が入ったビーカ３が載置される（同図の（ｄ）参照）。
ここにいうカップ４２は、載置部の一例であり、また、ここにいうビーカ３は、被載置部材ないし容器の一例である。
【００１９】
かかるカップ４２の大きさは一定であり、ビーカ３がカップ４２に適合する外形形状の場合には、ビーカ３は、本実施の形態に係るビーカアダプタ１を使用せずにカップ４２に載置される（不図示）。すなわち、カップ４２に対応する大きさのビーカ３の場合には、カップ４２にそのまま載置され、直接カップ４２に保持される（不図示）。
【００２０】
また、カップ４２に対応する大きさでないビーカ３の場合には、本実施の形態に係るビーカアダプタ１を使用することになる。すなわち、ビーカ３が検体テーブル４１のカップ４２よりも小さい場合、カップ４２にそのまま載置されると、ビーカ３がカップ４２に対して移動することになり、好ましくない。
そこで、かかる場合には、図３の（ａ）に示すように、ビーカ３をカップ４２に載置する前に、ビーカアダプタ１をカップ４２に差し込む。そして、同図の（ｂ）に示すように、事前にカップ４２内にビーカアダプタ１を装着しておく。ビーカアダプタ１は、円筒部材１１が下側で円筒部材１２が上側になるように載置されている（図１参照）。付言すると、状況に応じて、ビーカアダプタ１を円筒部材１１が上側で円筒部材１２が下側になるように載置することも考えられる。
【００２１】
なお、図３の（ｂ）および図１を参照すると、ビーカアダプタ１の下側の円筒部材１１は、検体テーブル４１のカップ４２に埋没している一方で、上側の円筒部材１２は、カップ４２の周縁よりも上に位置する。
より詳細には、ビーカアダプタ１のＯリング１５は、カップ４２の内周面に接触している。そして、カップ４２に埋没している円筒部材１１は、カップ４２の内周面に接触していない。付言すると、Ｏリング１５がカップ４２の内周面に接触していれば、円筒部材１２がカップ４２の周縁よりも上に位置するか位置しないかは問わない。
【００２２】
その後、図３の（ｃ）に示すように、カップ４２に載置されたビーカアダプタ１にビーカ３を差し込む。すると、同図の（ｄ）に示すように、ビーカ３は、ビーカアダプタ１に載置される。すなわち、ビーカ３は、ビーカアダプタ１を介して検体テーブル４１のカップ４２に保持される。
このように、本実施の形態に係るビーカアダプタ１は、検体テーブル４１のカップ４２に載置されるビーカ３を保持するための保持構造の一部を構成する。
【００２３】
〔保持構造について〕
ここで、ビーカアダプタ１を用いるビーカ３の保持構造についてさらに説明する。
円筒部材１１ないし円筒部材１２の外周面１２ａから飛び出ているＯリング１５の突出部分２１（図２の（ａ）または（ｃ）参照）は、ビーカアダプタ１が検体テーブル４１のカップ４２と接触する部分である。また、円筒部材１１ないし円筒部材１２の内周面１２ｂから飛び出ているＯリング１５の突出部分２２（図２の（ａ）または（ｃ）参照）は、ビーカアダプタ１がビーカ３と接触する部分である。
【００２４】
かかる突出部分２１，２２について、より詳細に説明する。
図４は、ビーカアダプタ１の作用を説明する図である。すなわち、図４の（ａ）は、図３の（ｄ）における横断面図である。また、図４の（ｂ）は、ビーカアダプタ１における突出部分２１，２２の変形前後を示す部分拡大横断面図である。なお、説明の便宜上、変形後の状態を示す図４の（ａ）および（ｂ）では、突出部分２１，２２の変形前の状態を一点鎖線で示す。
図４の（ａ）に示すように、ビーカアダプタ１の突出部分２１は、検体テーブル４１のカップ４２に差し込まれると（図３の（ｄ）参照）、支柱１３の方向に圧縮されて変形する。また、ビーカアダプタ１の突出部分２２は、ビーカ３を差し込むと外側にふくらむように逃げて変位する。
【００２５】
より具体的には、Ｏリング１５の突出部分２１は、変形前では、図４の（ｂ）における上段に示すように、一定の張力で支柱１３に巻き掛けられている。そして、変形後には、突出部分２１は、同図の（ｂ）における下段に示すように、カップ４２により支柱１３に押し付けられる。このように、変形後の突出部分２１は、圧縮力を受けてつぶされる。
本実施の形態では、円筒部材１１の外周面１２ａから突出する突出部分２１が円筒部材１１の円周方向に沿って均等に４つ配置していることから、ビーカアダプタ１は、４つの突出部分２１により検体テーブル４１のカップ４２に接触し、これにより、ビーカアダプタ１がガタつきなく保持される。
【００２６】
また、図４の（ｂ）における上段に示すように、Ｏリング１５の突出部分２２は、隣り合う支柱１３同士を最短で結ぶように略直線状になっている。そして、Ｏリング１５で囲まれている領域にビーカ３が位置すると、同図の（ｂ）における下段に示すように、Ｏリング１５は、平面視で支柱１３が位置する側とは反対の側にふくらむようになる。すなわち、突出部分２２は、円筒部材１１から突出している領域が減る方向（平面視外側）に移動するように変位する。
本実施の形態では、円筒部材１１の内周面１２ｂから突出する突出部分２２が円筒部材１１の円周方向に沿って均等に４つ配置していることから、ビーカアダプタ１は、４つの突出部分２２によりビーカ３と接触し、これにより、ビーカ３がガタつきなく保持される。
【００２７】
このようなビーカ３の保持構造において、支柱１３にＯリング１５を引っ掛けることにより出来た幾何学図形の角（支柱１３）の部分で円筒部材１１，１２の外周のガタつきを抑制し、辺の部分で円筒部材１１，１２の内周のガタつきを抑制している。
すなわち、本実施の形態では、円筒部材１１，１２の円周方向に沿ってＯリング１５を面接触させる構成ではなく、円周方向における複数箇所で点接触（部分的な接触）させることでガタつきをなくしている。
【００２８】
なお、突出部分２１および突出部分２２のいずれでも、外力を受けることによりその領域を減少するように変形する点で共通する。その一方で、支柱１３によるＯリング１５の角部である突出部分２１では圧縮力を受けるものの、Ｏリング１５の辺部である突出部分２２では圧縮力を受けない。
すなわち、支柱１３によるＯリング１５の角部では、検体テーブル４１のカップ４２により圧縮力を受け、突出部分２２が変形することで、ビーカアダプタ１をカップ４２に対して位置決めする。また、支柱１３によるＯリング１５の辺部では、ビーカ３によりＯリング１５で囲まれる領域が広くなる方向に変形し移動することで、ビーカ３をビーカアダプタ１に対して位置決めする。
【００２９】
これにより、ビーカアダプタ１は、検体テーブル４１のカップ４２に対してある程度の幅をもって位置決めされ、また、ビーカ３は、ビーカアダプタ１に対してある程度の幅をもって位置決めされる。このため、ビーカ３は、ある程度の力が作用することでカップ４２に対してガタガタ動くことが防止される。ここにいう「ある程度の幅」とは、高い精度で位置決めされるものではないという意味であり、例えば数ミリ程度の再現性をもって位置決めされる。すなわち、上述の構成によって、ビーカアダプタ１は、カップ４２に対する相対位置が定まり、また、ビーカ３はビーカアダプタ１に対する相対位置が定まることで、ビーカ３はカップ４２に対する相対位置が定まる。
さらに説明すると、本実施の形態では、このようなビーカアダプタ１のカップ４２に対するガタつき（外周側の保持）および、ビーカ３のカップ４２に対するガタつき（内周側の保持）を、複数の支柱１３に巻き掛けられた１つのＯリング１５で行うことが可能になり、簡易な構成で２つの部材の保持を実現することが可能である。
なお、検体テーブル４１のカップ４２にビーカアダプタ１の作用を奏する構成を持たせる例も考えられる。
【００３０】
〔各種の変形例〕
次に、本実施の形態に係る各種の変形例について説明する。
図５は、ビーカアダプタ１の変形例を説明する図であり、支柱１３を４本以外の数とする場合の変形例を示すものである。すなわち、同図の（ａ）は支柱１３を３つ用いる場合を示し、（ｂ）は支柱１３を５つ用いる場合を示す。
図５の（ａ）に示すように、３本の支柱１３にＯリング１５を巻き掛ける構成を採用することが考えられ、また、同図の（ｂ）に示すように、５本の支柱１３にＯリング１５を巻き掛ける構成を採用することが考えられる。すなわち、３本以上の支柱１３にＯリング１５を巻き掛ける構成が考えられる。
【００３１】
支柱１３の本数が多くなればなるほど、ビーカアダプタ１を構成する円筒部材１１および円筒部材１２の外周面１１ａ，１２ａと内周面１１ｂ，１２ｂとの間の幅（リング幅）が狭くなる（図２も参照）。このため、検体テーブル４１のカップ４２とビーカ３との直径差が小さい場合にも対応することが可能になる。
また、支柱１３の本数が多くなればなるほど、ビーカアダプタ１の突出部分２１，２２の数が多くなり、ビーカアダプタ１のカップ４２に対する位置決めないし保持、およびビーカアダプタ１に対するビーカ３の位置決めないし保持をより確実に行うことが可能になる。
付言すると、本実施の形態では、支柱１３の本数とビーカアダプタ１の突出部分２１，２２の数とが互いに同じものであるが、支柱１３の位置を調整することで、支柱１３の位置に突出部分２１が形成されないように構成したり、隣り合う支柱１３同士の間に突出部分２２が形成されないように構成したりする例も考えられる。かかる例の場合には、Ｏリング１５の接触部の数を減らすという調整が可能になる。
【００３２】
図６は、ビーカアダプタ１の他の変形例を説明する図であり、（ａ）はその正面図であり、（ｂ）は（ａ）の線Ｂ−Ｂによる断面図であり、（ｃ）は（ａ）の線Ｃ−Ｃによる断面図である。すなわち、（ｂ）はＯリング１５Ｂの位置での横断面図、（ｃ）はＯリング１５Ｃの位置での横断面図である。なお、図６の（ａ）は、上述した図２の（ａ）に対応するものであり、図６の（ｂ）および（ｃ）は、上述した図２の（ｃ）に対応するものである。
一変形例に係るビーカアダプタ１の基本的な構成は、上述した本実施の形態に係るビーカアダプタ１と共通するものを含むことから、共通する構成には同じ符号を用い、そのような構成や作用についての説明を省略することがある。
【００３３】
図６の（ａ）に示すように、一変形例に係るビーカアダプタ１は、円筒部材１１と、円筒部材１１の一端面側に位置する円筒部材１２Ｂと、円筒部材１１の他端面側に位置する円筒部材１２Ｃと、を含んで構成されている。また、ビーカアダプタ１は、円筒部材１１の一端面側に位置する複数の支柱１３Ｂと、円筒部材１１の他端面側に位置する複数の支柱１３Ｃと、複数の支柱１３Ｂに巻き掛けられるＯリング１５Ｂと、複数の支柱１３Ｃに巻き掛けられるＯリング１５Ｃと、を含んで構成されている。なお、同図では、皿ネジ１４の図示を省略する。
【００３４】
このように、図６の（ａ）に示すビーカアダプタ１は、Ｏリング１５ＢおよびＯリング１５Ｃを備える。すなわち、２つのＯリング部材を持つ。さらに説明すると、同図の（ｂ）に示すように、支柱１３Ｂに巻き掛けられるＯリング１５Ｂは、支柱１３Ｂ付近に突出部分２１を持つ。また、同図の（ｃ）に示すように、支柱１３Ｃに巻き掛けられるＯリング１５Ｃは、隣り合う支柱１３Ｃの間に突出部分２２を持つ。
このように、２つのリング部材の一方のＯリング１５Ｂにより、検体テーブル４１のカップ４２と係合する突出部分２１を形成し、他方のＯリング１５Ｃにより、ビーカ３と係合する突出部２１を形成する。
【００３５】
図６の（ａ）に示すビーカアダプタ１では、２つのリング部材を用いるものの、円筒部材１１および円筒部材１２の外周面１１ａ，１２ａと内周面１１ｂ，１２ｂとの間の幅を大きくすることが可能になる。このため、ビーカ３に対する検体テーブル４１のカップ４２の外径が大きい場合にも、ビーカアダプタ１を用いることが可能になる。
【００３６】
また、図６の（ｂ）、（ｃ）に示すように、４本の支柱１３Ｂに巻き掛けられたときのＯリング１５Ｂの長さと、４本の支柱１３Ｃに巻き掛けられたときのＯリング１５Ｃの長さと、は互いの異なるものであり、前者が後者よりも長い。
このため、Ｏリング１５Ｂの張力とＯリング１５Ｃの張力とが互いに同じようになるように、Ｏリング１５ＢおよびＯリング１５Ｃとして互いに異なる部材を用いるように設定することが考えられる。
【００３７】
さらに説明すると、図６の（ａ）に示すビーカアダプタ１において、Ｏリング１５ＢおよびＯリング１５Ｃとして同じ部材を用いる場合には、Ｏリング１５Ｂの張力とＯリング１５Ｃの張力とが互いに異なるものになり、前者が後者よりも大きい。
かかる張力の違いをもたせることで、ビーカアダプタ１の脱着し易さやビーカ３の脱着し易さを調整することが可能になる。すなわち、緩く保持したい方と堅く保持したい方とを分けることが可能になる。
例えば、Ｏリング１５Ｂの張力が小さくなるように設定することで、ビーカアダプタ１の脱着が行い易くなる。また、Ｏリング１５Ｃの張力が小さくなるように設定することで、ビーカ３を脱着する際にビーカアダプタ１が検体テーブル４１のカップ４２から外れることを防止することが可能になる。
このように、張力の違いを積極的に利用することで新たな作用を奏することが可能になる。
【００３８】
図７は、保持構造の変形例を説明する図であり、（ａ）は一変形例を示す正面図であり、（ｂ）は他の変形例を示す正面図である。
図７の（ａ）に示す保持構造の一変形例は、検体テーブル４１のカップ４２が浅いもの（例えば図３参照）ではなくて深いものであり、かつ、ビーカ３（例えば図３参照）のような低い容器ではなく、試験管や細口びん（不図示）等の比較的縦長形状の容器に試料が入れられる場合に対応するものである。
【００３９】
すなわち、一変形例の保持構造では、本実施の形態に係るビーカアダプタ１（例えば図１の（ａ）参照）とカップ４２の底面との間に、スペーサ５１を配置するものである。なお、スペーサ５１は円筒形状である。
カップ４２の底面に対するＯリング１５の位置が高くなることから、カップ４２の底面から高い位置で、ビーカアダプタ１のカップ４２に対する保持およびビーカ３のカップ４２に対する保持を行うことが可能になる。
なお、図７の（ａ）に示す線Ａ−Ａによる断面図は、上述した図２の（ｃ）に示すものと同じであり、また、上述した図５の（ａ）または（ｂ）に示すものと同じようにすることも考えられる。
【００４０】
また、図７の（ｂ）に示す保持構造の他の変形例では、ビーカアダプタ１Ｂおよびビーカアダプタ１Ｃを積んでいる。すなわち、この変形例では、カップ４２の底面にビーカアダプタ１Ｃを載置し、このビーカアダプタ１Ｃにビーカアダプタ１Ｂを乗せている。
ここで、図７の（ｂ）に示す線Ｂ−Ｂによる断面図は、上述した図６の（ｂ）に示すものと同じであり、図７の（ｂ）に示す線Ｃ−Ｃによる断面図は、上述した図６の（ｃ）に示すものと同じである。したがって、ビーカアダプタ１Ｂは、突出部分２１を形成するためのＯリング１５Ｂを備え、また、ビーカアダプタ１Ｃは、突出部分２２を形成するためのＯリング１５Ｃを備えている。
言い換えると、上述した図６の（ａ）に示す一変形例に係るビーカアダプタ１を２つに分割し、一方をビーカアダプタ１Ｂとし、他方をビーカアダプタ１Ｃとするものである。これにより、ビーカアダプタ１のカップ４２に対する保持位置と、ビーカ３のカップ４２に対する保持位置と、を互いに任意なものとすることが可能になる。
【００４１】
〔測定装置用の移送装置について〕
次に、本実施の形態に係るビーカアダプタ１ないし保持構造や変形例に係るビーカアダプタ１，１Ｂ，１Ｃないし保持構造を適用した測定装置用の移送装置６について説明する。
ここにいう測定装置としては、種々の測定装置とすることが考えられる。例えば、試料に滴定試薬を供給し、光度プローブにて色調変化を検出し、光度滴定を行う不図示の滴定装置を挙げることができる。すなわち、ここにいう滴定装置は測定装置の一例である。
一般的な滴定装置は、滴定装置本体と、滴定試薬を被検液（試料）に制御可能に供給する滴定試薬供給装置（滴定ビュレット）と、光度プローブなどが設置された測定位置（図８における試料容器Ｙ１の位置）へと移送する移送装置６と、を含んで構成される。
【００４２】
図８は、測定装置用の移送装置６を説明する概略斜視図である。
図８に示すように、移送装置６は、装置本体６１と、装置本体６１の上部にて回転することのできるターンテーブル６２と、を備えている。ターンテーブル６２には、検体である試料を収容した上述のビーカ３（例えば図３参照）である試料容器Ｙ（Ｙ１、Ｙ２・・・・・・Ｙｎ−１、Ｙｎ）を複数、例えば、最大１００個、載置することができる。ただ、ターンテーブル６２の大きさは、これに限定されるものではない。
【００４３】
各試料容器Ｙは、ターンテーブル６２を回転することにより、光度プローブなどが設置された測定位置（同図における試料容器Ｙ１の位置）へと移送される。移送装置６にて、装置本体６１の上部に設置されたターンテーブル６２は、モータなどの駆動部（不図示）により回転自在とされ、滴定装置本体（不図示）に設けられたターンテーブル制御部（不図示）により制御される。
【００４４】
移送装置６には、光度プローブ用の作動装置６３が設置されている。作動装置６３は、ホルダー６４を備えており、光度プローブ７１を保持している。なお、ホルダー６４は、本実施例では、光度プローブ７１と同時に、滴定ノズル７２、更には、試料容器Ｙ内の試料を撹拌するためのスターラ７３を保持している。スターラ７３は、モータなどの駆動部（不図示）と連結されて回転する撹拌翼などを好適に用いることができる。
【００４５】
作動装置６３は、ホルダー６４を駆動して、
(1)光度プローブ７１、滴定ノズル７２、スターラ７３を測定位置（試料容器Ｙ１の位置）に移送されてきた試料容器Ｙ内に装入、配置する第１のポジションＰ１と、
(2)測定が終了した後に、光度プローブ７１、滴定ノズル７２、スターラ７３を試料容器Ｙ内から上方に引き上げ（第２のポジションＰ２）、洗浄槽６５の位置へと移動し（第３のポジションＰ３）、次いで、洗浄槽４５内へと挿入配置し、洗浄する第４のポジションＰ４と、の各ポジションに光度プローブ７１、滴定ノズル７２、スターラ７３を移動することができる。
本実施の形態に係るビーカアダプタ１ないし保持構造や変形例に係るビーカアダプタ１，１Ｂ，１Ｃないし保持構造を適用した測定装置用の移送装置６では、ビーカアダプタ１，１Ｂ，１Ｃのカップ４２に対するガタつき（外周側の保持）および、試料容器Ｙのカップ４２に対するガタつき（内周側の保持）を、複数の支柱１３，１３Ｂ，１３Ｃに巻き掛けられた１つないし２つのＯリング１５，１５Ｂ，１５Ｃで行うことが可能になり、簡易な構成で２つの部材の保持を実現することが可能である。ガタつきが大きい場合、光度プローブ７１（測定センサ）や滴定ノズル７２（試薬導入部）が試料容器Ｙ（ビーカ３）の縁に接触したり、試料容器Ｙ内に挿入されなかったりして、測定に支障をきたすことがある。特に、試験管や細口びん（不図示）等の比較的開口部の狭い容器を試料容器Ｙとして用いる場合には、このような問題が起こりやすかったが、本実施の形態によれば、これが防止できる。
【００４６】
なお、本実施の形態に係るビーカアダプタ１ないし保持構造や変形例に係るビーカアダプタ１，１Ｂ，１Ｃないし保持構造を、単体のスターラにも適用することが考えられる。ここにいうスターラは、底部に電動機を内蔵し、電動機の回転軸に磁石が取り付けられ、電動機が回転することに伴って、磁石が回転して回転磁界が生じるように構成された装置である。
【符号の説明】
【００４７】
１，１Ｂ，１Ｃ…ビーカアダプタ、３…ビーカ、６…移送装置、１１，１２，１２Ｂ，１２Ｃ…円筒部材、１５，１５Ｂ，１５Ｃ…Ｏリング、２１，２２…突出部分、４２…カップ
【図１】
2016142583.tif 000003
【図２】
2016142583.tif 000004
【図３】
2016142583.tif 000005
【図４】
2016142583.tif 000006
【図５】
2016142583.tif 000007
【図６】
2016142583.tif 000008
【図７】
2016142583.tif 000009
【図８】
2016142583.tif 000010